(57)【要約】【課題】ＳＰＳ  Ａ/Ｎ送信用リソースを適切に割り当てる。【解決手段】本発明に係る無線基地局ｅＮＢは、ＳＰＳ用ベアラの設定時に、移動局ＵＥに対してＳＰＳ  Ａ/Ｎ送信用リソース候補を割り当てるリソース割当部１１を具備し、ＳＰＳ  Ａ/Ｎ送信用リソース候補は、移動局ＵＥがＳＰＳによってスケジューリングされＰＤＳＣＨを介して送信された下りデータに対して下りデータの受信タイミングから所定タイミング後にＳＰＳ  Ａ/Ｎを送信するための周波数方向リソースとコード方向リソースとの組み合わせからなるリソースの候補であり、リソース割当部１１は移動局ＵＥのＳＰＳ  Ａ/Ｎ送信期間における周波数方向リソースとコード方向リソースとの組み合わせからなる所定リソースの割当数に基づいて、移動局ＵＥに対してＳＰＳ  Ａ/Ｎ送信用リソース候補を割り当てる。【選択図】図１７
2010232742.tif 000002
【特許請求の範囲】
【請求項１】
セミパーシステントスケジューリング用ベアラの設定時に、第１移動局に対して、セミパーシステントスケジューリング送達確認信号送信用リソース候補を割り当てるように構成されているリソース割当部を具備し、
前記セミパーシステントスケジューリング送達確認信号送信用リソース候補は、前記第１移動局が、セミパーシステントスケジューリングによってスケジューリングされ下りデータチャネルを介して送信された下りデータに対して、該下りデータの受信タイミングから所定タイミング後に送達確認信号を送信するための周波数方向リソースとコード方向リソースとの組み合わせからなるリソースの候補であり、
前記リソース割当部は、前記第１移動局のセミパーシステントスケジューリング送達確認信号送信期間における周波数方向リソースとコード方向リソースとの組み合わせからなる所定リソースの割当数に基づいて、該第１移動局に対して前記セミパーシステントスケジューリング送達確認信号送信用リソース候補を割り当てるように構成されており、
前記下りデータが、前記セミパーシステントスケジューリングによってスケジューリングされた場合に、前記リソース割当部は、前記セミパーシステントスケジューリング送達確認信号送信用リソース候補の中から、該下りデータに対する送達確認信号を送信するためのリソースを選択するように構成されていることを特徴とする無線基地局。
【請求項２】
前記セミパーシステントスケジューリング送達確認信号送信期間は、前記第１移動局の間欠受信期間を前記所定タイミングだけ遅らせた期間であることを特徴とする請求項１に記載の無線基地局。
【請求項３】
前記所定リソースの割当数は、前記第１の移動局の前記セミパーシステントスケジューリング送達確認信号送信期間の各サブフレームにおいて、所定リソースが前記セミパーシステントスケジューリング送達確認信号送信用リソース候補として割り当てられている他の移動局の合計数であることを特徴とする請求項１又は２に記載の無線基地局。
【請求項４】
前記リソース割当部は、時間的に前記第１移動局の間欠受信期間と少なくとも一部で重複する間欠受信期間を有する第２移動局に対して前記セミパーシステントスケジューリング送達確認信号送信用リソース候補として割り当てられているリソースに基づいて、該第１移動局に対して前記セミパーシステントスケジューリング送達確認信号送信用リソース候補を割り当てるように構成されていることを特徴とする請求項１乃至３のいずれか一項に記載の無線基地局。
【請求項５】
前記所定リソースの割当数は、前記第１の移動局の前記セミパーシステントスケジューリング送達確認信号送信期間における所定リソースグループに属しているリソースの割当数であり、
前記リソース割当部は、リソースグループ単位で、前記セミパーシステントスケジューリング送達確認信号送信用リソース候補を割り当てるように構成されていることを特徴とする請求項１に記載の無線基地局。
【請求項６】
前記所定リソースグループは、時間的に前記第１移動局の間欠受信期間と少なくとも一部で重複する間欠受信期間を有する第２移動局に対して前記セミパーシステントスケジューリング送達確認信号送信用リソース候補として割り当てられているリソースが属するリソースグループであることを特徴とする請求項１に記載の無線基地局。
【請求項７】
セミパーシステントスケジューリング用ベアラの設定時に、第１移動局に対して、セミパーシステントスケジューリング送達確認信号送信用リソース候補を割り当てる工程Ａを有し、
前記セミパーシステントスケジューリング送達確認信号送信用リソース候補は、前記第１移動局が、セミパーシステントスケジューリングによってスケジューリングされ下りデータチャネルを介して送信された下りデータに対して、該下りデータの受信タイミングから所定タイミング後に送達確認信号を送信するための周波数方向リソースとコード方向リソースとの組み合わせからなるリソースの候補であり、
前記工程Ａにおいて、前記第１移動局のセミパーシステントスケジューリング送達確認信号送信期間における周波数方向リソースとコード方向リソースとの組み合わせからなる所定リソースの割当数に基づいて、前記第１移動局に対して前記セミパーシステントスケジューリング送達確認信号送信用リソース候補を割り当て、
前記下りデータが、前記セミパーシステントスケジューリングによってスケジューリングされた場合に、前記セミパーシステントスケジューリング送達確認信号送信用リソース候補の中から、該下りデータに対する送達確認信号を送信するためのリソースを選択する工程Ｂを更に有することを特徴とする移動通信方法。
【発明の詳細な説明】
【技術分野】
【０００１】
本発明は、無線基地局及び移動通信方法に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、各移動局ＵＥは、ＰＵＣＣＨ（Ｐｈｙｓｉｃａｌ  Ｕｐｌｉｎｋ  Ｃｏｎｔｒｏｌ  Ｃｈａｎｎｅｌ、物理上り制御チャネル）を介して、無線基地局ｅＮＢに対して、セミパーシステントスケジューリング（Ｓｅｍｉ-Ｐｅｒｓｉｓｔｅｎｔ  Ｓｃｈｅｄｕｌｉｎｇ、以下、ＳＰＳ）によってスケジューリングされＰＤＳＣＨ（Ｐｈｙｓｉｃａｌ  Ｄｏｗｎｌｉｎｋ  Ｓｈａｒｅｄ  Ｃｈａｎｎｅｌ、物理下り共有チャネル、下りデータチャネル）を介して送信された下りデータに対して、下りデータの受信タイミングから所定タイミング（例えば、４サブフレーム）後に送達確認信号（ＳＰＳ  Ａ/Ｎ）を送信するように構成されている。
【先行技術文献】
【非特許文献】
【０００３】
【非特許文献１】３ＧＰＰ  ＴＳ３６.２１１  Ｖ８.５.０、「Ｐｈｙｓｉｃａｌ  Ｃａｈｅｎｎｅｌ  ａｎｄ  Ｍｏｄｕｌａｔｉｏｎ」、２００８年１１月
【非特許文献２】３ＧＰＰ  ＴＳ３６.２１３  Ｖ８.５.０、「Ｐｈｙｓｉｃａｌ  Ｌａｙｅｒ  Ｐｒｏｃｅｄｕｒｅ」、２００８年１１月
【発明の概要】
【発明が解決しようとする課題】
【０００４】
しかしながら、３ＧＰＰでは、各移動局ＵＥに対するＳＰＳ  Ａ/Ｎ送信用リソース候補の割り当て方法について規定されていないため、上述の移動通信システムにおいて、ＳＰＳ  Ａ/Ｎ送信用リソース候補が適切に割り当てられない場合があるという問題点があった。
【０００５】
そこで、本発明は、上述の課題に鑑みてなされたものであり、ＳＰＳ  Ａ/Ｎ送信用リソース候補を適切に割り当てることができる無線基地局及び移動通信方法を提供することを目的とする。
【課題を解決するための手段】
【０００６】
本発明の第１の特徴は、無線基地局であって、セミパーシステントスケジューリング用ベアラの設定時に、第１移動局に対して、セミパーシステントスケジューリング送達確認信号送信用リソース候補を割り当てるように構成されているリソース割当部を具備し、前記セミパーシステントスケジューリング送達確認信号送信用リソース候補は、前記第１移動局が、セミパーシステントスケジューリングによってスケジューリングされ下りデータチャネルを介して送信された下りデータに対して、該下りデータの受信タイミングから所定タイミング後に送達確認信号を送信するための周波数方向リソースとコード方向リソースとの組み合わせからなるリソースの候補であり、前記リソース割当部は、前記第１移動局のセミパーシステントスケジューリング送達確認信号送信期間における周波数方向リソースとコード方向リソースとの組み合わせからなる所定リソースの割当数に基づいて、前記第１移動局に対して前記セミパーシステントスケジューリング送達確認信号送信用リソース候補を割り当てるように構成されており、前記下りデータが、前記セミパーシステントスケジューリングによってスケジューリングされた場合に、前記リソース割当部は、前記セミパーシステントスケジューリング送達確認信号送信用リソース候補の中から、該下りデータに対する送達確認信号を送信するためのリソースを選択するように構成されていることを要旨とする。
【０００７】
本発明の第２の特徴は、移動通信システムであって、  セミパーシステントスケジューリング用ベアラの設定時に、第１移動局に対して、セミパーシステントスケジューリング送達確認信号送信用リソース候補を割り当てる工程Ａを有し、前記セミパーシステントスケジューリング送達確認信号送信用リソース候補は、前記第１移動局が、セミパーシステントスケジューリングによってスケジューリングされ下りデータチャネルを介して送信された下りデータに対して、該下りデータの受信タイミングから所定タイミング後に送達確認信号を送信するための周波数方向リソースとコード方向リソースとの組み合わせからなるリソースの候補であり、前記工程Ａにおいて、前記第１移動局のセミパーシステントスケジューリング送達確認信号送信期間における周波数方向リソースとコード方向リソースとの組み合わせからなる所定リソースの割当数に基づいて、前記第１移動局に対して前記セミパーシステントスケジューリング送達確認信号送信用リソース候補を割り当て、前記下りデータが、前記セミパーシステントスケジューリングによってスケジューリングされた場合に、前記セミパーシステントスケジューリング送達確認信号送信用リソース候補の中から、該下りデータに対する送達確認信号を送信するためのリソースを選択する工程Ｂを更に有することを要旨とする。
【発明の効果】
【０００８】
以上説明したように、本発明によれば、ＳＰＳ  Ａ/Ｎ送信用リソースを適切に割り当てることができる無線基地局及び移動通信方法を提供することができる。
【図面の簡単な説明】
【０００９】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおけるＳＰＳ  Ａ/Ｎの送信タイミングについて説明するための図である。
【図４】本発明の第１の実施形態に係る無線基地局によるＰＵＣＣＨ用リソースの割り当て方法について説明するための図である。
【図５】本発明の第１の実施形態に係る無線基地局によって割り当てられたＰＵＣＣＨ用リソース内のリソースブロックについて説明するための図である。
【図６】本発明の第１の実施形態に係る無線基地局によって、ＣＱＩ、Ａ/Ｎ及びＳＲを送信するために、ＰＵＣＣＨ用リソース内のリソースブロックを割り当てる方法について説明するための図である。
【図７】本発明の第１の実施形態に係る無線基地局によって、ＰＵＣＣＨ用リソース内のリソースブロックのうち、Ａ/Ｎ及びＳＲを送信するために割り当てられたリソースブロックについて説明するための図である。
【図８】本発明の第１の実施形態に係る無線基地局によって、ＰＵＣＣＨ用リソース内のリソースブロックのうち、ＣＱＩ、Ａ/Ｎ及びＳＲを混在して送信するため割り当てられたリソースブロックについて説明するための図である。
【図９】本発明の第１の実施形態に係る無線基地局によって割り当てられるＰＵＣＣＨ用リソース内の周波数方向及びコード方向リソースの一例について説明するための図である。
【図１０】本発明の第１の実施形態に係る無線基地局によって、ＳＰＳ  Ａ/Ｎ送信用リソースを割り当てる方法について説明するための図である。
【図１１】本発明の第１の実施形態に係る無線基地局によって、ＳＰＳ  Ａ/Ｎ送信用リソースを割り当てる方法について説明するための図である。
【図１２】本発明の第１の実施形態に係る無線基地局によって、ＳＰＳ  Ａ/Ｎ送信用リソースを割り当てる方法について説明するための図である。
【図１３】本発明の第１の実施形態に係る無線基地局によって、ＳＰＳ  Ａ/Ｎ送信用リソース候補を割り当てる方法について説明するための図である。
【図１４】本発明の第１の実施形態に係る無線基地局によって、ＳＰＳ  Ａ/Ｎ送信用リソース候補を割り当てる方法について説明するための図である。
【図１５】本発明の第１の実施形態に係る無線基地局によって、ＳＰＳ  Ａ/Ｎ送信用リソース候補を割り当てる方法について説明するための図である。
【図１６】本発明の第１の実施形態に係る無線基地局によって、ＳＰＳ  Ａ/Ｎ送信用リソース候補を割り当てる方法について説明するための図である。
【図１７】本発明の第１の実施形態に係る無線基地局の動作を示すフローチャート図である。
【図１８】本発明の第１の実施形態に係る無線基地局の動作を示すフローチャート図である。
【図１９】本発明の第１の実施形態に係る無線基地局の動作を示すフローチャート図である。
【図２０】本発明の第１の実施形態に係る無線基地局の動作を示すフローチャート図である。
【発明を実施するための形態】
【００１０】
（本発明の第１の実施形態に係る移動通信システムの構成）
図１乃至図１６を参照して、本発明の第１の実施形態に係る移動通信システムの構成について説明する。
【００１１】
本実施形態に係る移動通信システムは、ＬＴＥ方式の移動通信システムであって、本実施形態に係る移動通信システムでは、図１に示すように、移動局ＵＥが、ＰＵＣＣＨを介して、無線基地局ｅＮＢに対して、下りリンクにおける受信品質を通知するために用いるべき受信品質を示すＣＱＩ（Ｃｈａｎｎｅｌ  Ｑｕａｌｉｔｙ  Ｉｎｄｉｃａｔｏｒ）や、下りデータに対するＡＣＫ/ＮＡＣＫ（以下、Ａ/Ｎ）や、上りデータ通信についてのスケジューリングを要求するスケジューリング要求（Ｓｃｈｅｄｕｌｉｎｇ  Ｒｅｑｕｅｓｔ、以下、ＳＲ）等を送信するように構成されている。
【００１２】
図２に示すように、無線基地局ｅＮＢは、リソース割当部１１と、通知部１２とを具備している。
【００１３】
リソース割当部１１は、無線基地局ｅＮＢ配下の各セルにおいて、所定の物理チャネル用リソースを割り当てるように構成されている。
【００１４】
例えば、リソース割当部１１は、無線基地局ｅＮＢ配下の各セルにおいて、上り物理チャネル用リソースとして、ＰＵＣＣＨ用リソースや、ＰＵＳＣＨ（Ｐｈｙｓｉｃａｌ  Ｕｐｌｉｎｋ  Ｓｈａｒｅｄ  Ｃｈａｎｎｅｌ、物理上り共有チャネル）用リソース等を割り当てるように構成されている。
【００１５】
また、リソース割当部１１は、無線基地局ｅＮＢ配下の各セルにおいて、下り物理チャネル用リソースとして、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）用リソースや、ＰＤＳＣＨ用リソース等を割り当てるように構成されている。
【００１６】
ここで、リソース割当部１１は、ＰＵＣＣＨ用リソースの中から、ＣＱＩ送信用リソースやＡ/Ｎ送信用リソースやＳＲ送信用リソースを割り当てるように構成されている。
【００１７】
リソース割当部１１によるリソースの割り当て動作の具体例については後述する。
【００１８】
通知部１２は、無線基地局ｅＮＢ配下の各セルにおいて、リソース割当部１１によって割り当てられたリソースを通知するように構成されている。
【００１９】
具体的には、通知部１２は、ＲＲＣメッセージで、各移動局ＵＥに対して、ＣＱＩ送信用リソースやＡ/Ｎ送信用リソースやＳＲ送信用リソースを通知するように構成されている。
【００２０】
以下、リソース割当部１１によるリソースの割り当て動作の具体例について説明する。
【００２１】
本実施形態に係る移動通信システムでは、移動局ＵＥが、間欠受信モードで動作しており、ＳＰＳによってスケジューリングされた下りデータを受信するように構成されている例について説明する。
【００２２】
図３に示すように、かかる移動局ＵＥには、「Ｏｎ  Ｄｕｒａｔｉｏｎ（間欠受信期間）」が設定されており、かかる移動局ＵＥは、「Ｏｎ  Ｄｕｒａｔｉｏｎ」においてのみ、ＳＰＳによってスケジューリングされＰＤＳＣＨを介して送信された下りデータを受信するように構成されている。
【００２３】
その後、かかる移動局ＵＥは、かかる下りデータの受信タイミングから所定タイミング（例えば、４サブフレーム）後に、かかる下りデータに対するＳＰＳ  Ａ/Ｎを送信するように構成されている。
【００２４】
ここで、移動局ＵＥにおいて、かかる下りデータの「Ｏｎ  Ｄｕｒａｔｉｏｎ」における受信タイミングが任意であるため、複数の移動局ＵＥにおけるＳＰＳ  Ａ/Ｎの送信タイミングが衝突する可能性がある。
【００２５】
かかる事態を避けるために、リソース割当部１１は、ＳＰＳ用ベアラの設定時に、移動局ＵＥに対して、所定数（例えば、４個）のＳＰＳ  Ａ/Ｎ送信用リソース候補を割り当てておき、その後、下りデータが、ＳＰＳによってスケジューリングされた場合に、ＳＰＳ  Ａ/Ｎ送信用リソース候補の中から、かかる下りデータに対するＳＰＳ  Ａ/Ｎを送信するためのリソースを選択するように構成されている。
【００２６】
ここで、ＳＰＳ  Ａ/Ｎ送信用リソース候補は、移動局ＵＥが、ＳＰＳによってスケジューリングされＰＤＳＣＨを介して送信された下りデータに対して、かかる下りデータの受信タイミングから所定タイミング（例えば、４サブフレーム）後にＳＰＳ  Ａ/Ｎを送信するための周波数方向リソースとコード方向リソースとの組み合わせからなるリソースの候補である。
【００２７】
以下、かかるＳＰＳ  Ａ/Ｎ送信用リソース候補として割り当て可能なリソースについて説明する。
【００２８】
図４及び図５に示すように、リソース割当部１１は、システム帯域幅における両端のリソースブロックから順に、ＰＵＣＣＨ用リソースブロックとして割り当て、ＰＵＣＣＨ用リソースブロックとして割り当てられたリソースブロックの内側のリソースブロックを、ＰＵＳＣＨ用リソースブロックとして割り当てるように構成されている。
【００２９】
ここで、リソースブロック（Ｒｅｓｏｕｒｃｅ  Ｂｌｏｃｋ、以下、ＲＢ）は、７ＯＦＤＭシンボルと１２サブキャリアとによって構成されている。
【００３０】
なお、図４に示すように、各ＰＵＣＣＨ用ＲＢでは、コード多重が行われるように構成されている。したがって、リソース割当部１１は、ＰＵＣＣＨ用リソースとして、時間方向リソースと周波数方向リソースとコード方向リソースとを割り当てるように構成されている。
【００３１】
また、リソース割当部１１は、１つのサブフレーム内の前半部分（スロット）と後半部分（スロット）との間で、図４に示すような「Ｉｎｔｒａ-ｓｕｂｆｒａｍｅ  ｆｒｅｑｕｅｎｃｙ  ｈｏｐｐｉｎｇ」によって、ＰＵＣＣＨ用リソースを割り当てるように構成されている。
【００３２】
図５に示すように、リソース割当部１１は、同一のＲＢ番号が付与されている２個のＲＢを、同一のＰＵＣＣＨ用ＲＢとして割り当てるように構成されている。
【００３３】
図６に示すように、リソース割当部１１は、ＰＵＣＣＨ用ＲＢとして割り当てられているＲＢのうち、若いＲＢ番号が付与されているものから順に、ＣＱＩ送信用ＲＢとして割り当て、残りのＲＢを、Ａ/Ｎ送信用ＲＢ及びＳＲ送信用ＲＢとして割り当てるように構成されている。
【００３４】
なお、図６に示すように、ＰＵＣＣＨ用ＲＢの中には、ＣＱＩ送信用ＲＢであり、Ａ/Ｎ送信用ＲＢであり、かつ、ＳＲ送信用ＲＢである「ＣＱＩ、Ａ/Ｎ、ＳＲ混在ＲＢ」が存在してもよい。
【００３５】
リソース割当部１１は、各移動局ＵＥに対して、ＰＵＣＣＨ用ＲＢとして割り当てられているＲＢの中から、Ａ/Ｎ送信用リソース及びＳＲ送信用リソースとして割り当て可能なＲＢ（周波数方向リソース）を決定するように構成されている。
【００３６】
また、Ａ/Ｎ送信用リソース及びＳＲ送信用リソースとして割り当て可能なコード方向リソースは、図７に示すように、各ＲＢ内で、複数（例えば、３個）のＯＣ（Ｏｒｔｈｏｇｏｎａｌ  Ｃｏｄｅ）及び「Ｃｙｃｌｉｃ  Ｓｈｉｆｔ」の関係にあり互いに直交する複数（例えば、１２個）の系列（Ｃｙｃｌｉｃ  Ｓｅｑｕｅｎｃｅ、以下、ＣＳ）の組み合わせ（以下、ＣＳ/ＯＣ）によって多重されている。
【００３７】
図７に示すように、かかる１サブフレーム内においてＡ/Ｎ送信用リソース及びＳＲ送信用リソースとして割り当て可能なコード方向リソース（ＣＳ/ＯＣ）には、リソースインデックス（Ｒｅｓｏｕｒｃｅ  Ｉｎｄｅｘ）が付与されている。かかるリソースインデックスは、１サブフレーム内で、複数のＲＢを跨いで連続して付与されるように構成されている。
【００３８】
また、ＣＱＩ、Ａ/Ｎ、ＳＲ混在ＲＢ＃ＮＲＢ（２）では、図８に示すように、ＣＱＩ送信用リソースとして割り当て可能なコード方向リソース（ＣＳ/ＯＣ）と、Ａ/Ｎ送信用リソース及びＳＲ送信用リソースとして割り当て可能なコード方向リソース（ＣＳ/ＯＣ）とが存在する。
【００３９】
ここで、「ＮＣＳ（１）」は、ＣＱＩ、Ａ/Ｎ、ＳＲ混在ＲＢにおいて、Ａ/Ｎ送信用リソース及びＳＲ送信用リソースとして割り当て可能なＣＳの数であり、Δｓｈｉｆｔの倍数である。Δｓｈｉｆｔは、ＣＳを算出される際に用いられた「Ｃｙｃｌｉｃ  Ｓｈｉｆｔ」の量である。
【００４０】
図８の例では、Ａ/Ｎ送信用リソース及びＳＲ送信用リソースとして、１つの周波数方向リソース（ＲＢ）内で、４個のコード方向リソース（ＣＳ）が多重可能であり、かつ、１つのコード方向リソース（ＣＳ）内で、３個のＯＣ（直交コード）が多重可能である。
【００４１】
なお、ＣＱＩ送信用リソースとして割り当て可能なコード方向リソース（ＣＳ）と、Ａ/Ｎ送信用リソース及びＳＲ送信用リソースとして割り当て可能なコード方向リソース（ＣＳ）との間には、干渉を避けるために、ガード用コード方向リソース（ＣＳ）が設けられている。また、ＣＱＩ送信用リソースとして割り当て可能なコード方向リソース（ＣＳ）間に、かかるガード用コード方向リソース（ＣＳ）が設けられていてもよい。
【００４２】
ＣＱＩ送信用リソースとして割り当て可能なコード方向リソース（ＣＳ）に付与されるリソースインデックスと、Ａ/Ｎ送信用リソース及びＳＲ送信用リソースとして割り当て可能なコード方向リソース（ＣＳ/ＯＣ）に付与されるリソースインデックスとは、別々のものである。
【００４３】
図９に、ＰＵＣＣＨ送信用ＲＢにおけるＣＱＩ送信用リソースとして割り当て可能なコード方向リソース（ＣＳ）に付与されるリソースインデックス、及び、Ａ/Ｎ送信用リソース及びＳＲ送信用リソースとして割り当て可能なコード方向リソース（ＣＳ/ＯＣ）に付与されるリソースインデックスの一例を示す。
【００４４】
また、図１０に示すように、Ａ/Ｎ送信用リソース及びＳＲ送信用リソースとして割り当て可能なコード方向リソース（ＣＳ/ＯＣ）は、ダイナミックスケジューリング送達確認信号送信用リソース（Ｄｙｎａｍｉｃ  Ｓｃｈｅｄｕｌｉｎｇ  Ａ/Ｎ送信用リソース、以下、ＤＳ  Ａ/Ｎ送信用リソース）、ＳＰＳ  Ａ/Ｎ送信用リソース及びＳＲ送信用リソースとして割り当て可能（使用可能）である。
【００４５】
ここで、ＳＰＳは、移動局ＵＥに対して、固定的なリソース（例えば、ＰＤＳＣＨ用リソースやＰＵＳＣＨ用リソース等）を周期的に割り当てるように構成されているスケジューリングであり、ダイナミックスケジューリング（以下、ＤＳ）は、移動局ＵＥに対して、各サブフレームにおいて、リソース（例えば、ＰＤＳＣＨ用リソースやＰＵＳＣＨ用リソース等）を割り当てるように構成されているスケジューリングである。
【００４６】
また、ＤＳ  Ａ/Ｎ送信用リソースは、ＤＳによってスケジューリングされＰＤＳＣＨを介して送信された下りデータに対するＡ/Ｎを送信するためのリソースである。
【００４７】
具体的には、図１０に示すように、リソース割当部１１は、Ａ/Ｎ送信用リソース及びＳＲ送信用リソースとして使用可能なＣＳ/ＯＣのうち、ＤＳ  Ａ/Ｎ送信用リソースとして使用可能なＣＳ/ＯＣ以外の残りのＣＳ/ＯＣを、ＳＰＳ  Ａ/Ｎ送信用リソース或いはＳＲ送信用リソースとして使用可能なＣＳ/ＯＣとするように構成されていてもよい。
【００４８】
ここで、ＤＳ  Ａ/Ｎ送信用リソースに必要なＣＳ/ＯＣの数は、システム帯域幅によって固定的に決定される。例えば、システム帯域幅が「５ＭＨｚ」である場合には、ＤＳ  Ａ/Ｎ送信用リソースに必要なＣＳ/ＯＣの数は「２０」である。
【００４９】
また、図１０に示すように、リソース割当部１１は、リソースインデックスの順に並べた場合、先頭のリソースインデックスからＤＳ  Ａ/Ｎ送信用リソースとして使用可能なＣＳ/ＯＣとし、残りのＣＳ/ＯＣを、交互に、ＳＰＳ  Ａ/Ｎ送信用リソース或いはＳＲ送信用リソースとして使用可能なＣＳ/ＯＣとするように構成されていてもよい。
【００５０】
なお、ＳＲの送信頻度が少ないため、このように、ＳＰＳ  Ａ/Ｎ送信用リソースとして使用可能なＣＳ/ＯＣの間に、ＳＲ送信用リソースとして使用可能なＣＳ/ＯＣを挿入することによって、干渉を低減することができる。
【００５１】
図１１に示すように、リソース割当部１１は、Ａ/Ｎ送信用リソース及びＳＲ送信用リソースとして使用可能なＣＳ/ＯＣのうち、ＤＳ  Ａ/Ｎ送信用リソースとして使用可能なＣＳ/ＯＣ以外の残りのＣＳ/ＯＣのうち、最も小さいリソースインデックスが奇数である場合、当該リソースインデックスが付与されているＣＳ/ＯＣから順に、奇数のリソースインデックスが付与されているＣＳ/ＯＣを、ＳＲ送信用リソースとして使用可能なＣＳ/ＯＣとするように構成されていてもよい。
【００５２】
かかる場合、リソース割当部１１は、Ａ/Ｎ送信用リソース及びＳＲ送信用リソースとして使用可能なＣＳ/ＯＣのうち、ＤＳ  Ａ/Ｎ送信用リソースとして使用可能なＣＳ/ＯＣ以外の残りのＣＳ/ＯＣのうち、最も大きいリソースインデックスが付与されているＣＳ/ＯＣから順に、偶数のリソースインデックスが付与されているＣＳ/ＯＣを、ＳＰＳ  Ａ/Ｎ送信用リソースとして使用可能なＣＳ/ＯＣとするように構成されている。
【００５３】
ここで、図１１に示すように、ＳＲ送信用リソースとして使用されるＣＳ/ＯＣの数が、ＳＰＳ  Ａ/Ｎ送信用リソースとして使用されるＣＳ/ＯＣの数よりも多い場合には、ＳＰＳ  Ａ/Ｎ送信用リソースとして使用されるＣＳ/ＯＣのうち最も小さいリソースインデックスが付与されているＣＳ/ＯＣから順に、所定数をＳＲ送信用リソースとして使用可能なＣＳ/ＯＣとするように構成されていてもよい。
【００５４】
或いは、ＳＲ送信用リソースとして使用されるＣＳ/ＯＣの数が、ＳＰＳ  Ａ/Ｎ送信用リソースとして使用されるＣＳ/ＯＣの数よりも少ない場合には、ＳＲ送信用リソースとして使用されるＣＳ/ＯＣのうち最も大きいリソースインデックスが付与されているＣＳ/ＯＣから順に、所定数をＳＰＳ  Ａ/Ｎ送信用リソースとして使用可能なＣＳ/ＯＣとするように構成されていてもよい。
【００５５】
この結果、ＳＲ送信用リソースとして使用可能なＣＳ/ＯＣの数とＳＰＳ  Ａ/Ｎ送信用リソースとして使用可能なＣＳ/ＯＣの数との比率を示す「リソース比率」を調整することができる。
【００５６】
図１１の例において、ＳＲ送信用リソースとして使用可能なＣＳ/ＯＣを特定するリソースインデックスは、以下の通りである。
【００５７】
ＮｓｔａｒｔＳＲ＋２ｉ（ｉ＝０，１，…，ｃｅｉｌ（Ｎｔｏｔａｌ/２）−１）
ＮｓｔａｒｔＳＲ＋２ｊ＋１（ｊ＝０，１，…，ＮＳＲ―ｃｅｉｌ（Ｎｔｏｔａｌ/２）−１）
また、図１１の例において、ＳＰＳ  Ａ/Ｎ送信用リソースとして使用可能なＣＳ/ＯＣを特定するリソースインデックスは、以下の通りである。
【００５８】
ＮｓｔａｒｔＳＲ＋２ｊ＋１（ｊ＝ＮＳＲ―ｃｅｉｌ（Ｎｔｏｔａｌ/２），…，ｆｌｏｏｒ（Ｎｔｏｔａｌ/２）−１）
ここで、ＮｓｔａｒｔＳＲは、ＳＲ送信用リソースとして使用可能なＣＳ/ＯＣの最も小さいリソースインデックスであり、ＮＳＲは、ＳＲ送信用リソースとして使用可能なＣＳ/ＯＣの数であり、Ｎｔｏｔａｌは、Ａ/Ｎ送信用リソース及びＳＲ送信用リソースとして使用可能なＣＳ/ＯＣのうち、ＤＳ  Ａ/Ｎ送信用リソースとして使用可能なＣＳ/ＯＣ以外の残りのＣＳ/ＯＣの数である。
【００５９】
なお、リソース割当部１１は、Ａ/Ｎ送信用リソース及びＳＲ送信用リソースとして使用可能なＣＳ/ＯＣのうち、ＤＳ  Ａ/Ｎ送信用リソースとして使用可能なＣＳ/ＯＣ以外の残りのＣＳ/ＯＣのうち、最も小さいリソースインデックスが付与されているＣＳ/ＯＣから順に、偶数のリソースインデックスが付与されているＣＳ/ＯＣを、ＳＲ送信用リソースとして使用可能なＣＳ/ＯＣとするように構成されていてもよい。
【００６０】
かかる場合、リソース割当部１１は、Ａ/Ｎ送信用リソース及びＳＲ送信用リソースとして使用可能なＣＳ/ＯＣのうち、ＤＳ  Ａ/Ｎ送信用リソースとして使用可能なＣＳ/ＯＣ以外の残りのＣＳ/ＯＣのうち、最も大きいリソースインデックスが付与されているＣＳ/ＯＣから順に、奇数のリソースインデックスが付与されているＣＳ/ＯＣを、ＳＰＳ  Ａ/Ｎ送信用リソースとして使用可能なＣＳ/ＯＣとするように構成されている。
【００６１】
また、リソース割当部１１は、Ａ/Ｎ送信用リソース及びＳＲ送信用リソースとして使用可能なＣＳ/ＯＣのうち、ＤＳ  Ａ/Ｎ送信用リソースとして使用可能なＣＳ/ＯＣ以外の残りのＣＳ/ＯＣのうち、最も大きいリソースインデックスが付与されているＣＳ/ＯＣから順に、偶数のリソースインデックスが付与されているＣＳ/ＯＣを、ＳＲ送信用リソースとして使用可能なＣＳ/ＯＣとするように構成されていてもよい。
【００６２】
かかる場合、リソース割当部１１は、Ａ/Ｎ送信用リソース及びＳＲ送信用リソースとして使用可能なＣＳ/ＯＣのうち、ＤＳ  Ａ/Ｎ送信用リソースとして使用可能なＣＳ/ＯＣ以外の残りのＣＳ/ＯＣのうち、最も小さいリソースインデックスが付与されているＣＳ/ＯＣから順に、奇数のリソースインデックスが付与されているＣＳ/ＯＣを、ＳＰＳ  Ａ/Ｎ送信用リソースとして使用可能なＣＳ/ＯＣとするように構成されている。
【００６３】
さらに、リソース割当部１１は、Ａ/Ｎ送信用リソース及びＳＲ送信用リソースとして使用可能なＣＳ/ＯＣのうち、ＤＳ  Ａ/Ｎ送信用リソースとして使用可能なＣＳ/ＯＣ以外の残りのＣＳ/ＯＣのうち、最も大きいリソースインデックスが付与されているＣＳ/ＯＣから順に、奇数のリソースインデックスが付与されているＣＳ/ＯＣを、ＳＲ送信用リソースとして使用可能なＣＳ/ＯＣとするように構成されていてもよい。
【００６４】
かかる場合、リソース割当部１１は、Ａ/Ｎ送信用リソース及びＳＲ送信用リソースとして使用可能なＣＳ/ＯＣのうち、ＤＳ  Ａ/Ｎ送信用リソースとして使用可能なＣＳ/ＯＣ以外の残りのＣＳ/ＯＣのうち、最も小さいリソースインデックスが付与されているＣＳ/ＯＣから順に、偶数のリソースインデックスが付与されているＣＳ/ＯＣを、ＳＰＳ  Ａ/Ｎ送信用リソースとして使用可能なＣＳ/ＯＣとするように構成されている。
【００６５】
図１２に、ＮｓｔａｒｔＳＲが偶数である場合で、かつ、ＳＲ送信用リソースとして使用可能なＣＳ/ＯＣの数がＳＰＳ  Ａ/Ｎ送信用リソースとして使用可能なＣＳ/ＯＣの数よりも多い場合のＳＲ送信用リソース及びＳＰＳ  Ａ/Ｎ送信用リソースとして使用可能なＣＳ/ＯＣの割り当て順序の例について示す。
【００６６】
ここで、リソース割当部１１は、ＳＰＳ  Ａ/Ｎ送信用リソースとして使用可能なＲＢ（周波数方向リソース）及びＣＳ/ＯＣ（コード方向リソース）の組み合わせからなる所定リソースの中から、ＳＰＳ  Ａ/Ｎ送信用リソース候補を決定するように構成されている。
【００６７】
具体的には、リソース割当部１１は、周波数方向リソースとコード方向リソースとの組み合わせからなる所定リソースの割当数に基づいて、移動局ＵＥに対してＳＰＳ  Ａ/Ｎ送信用リソース候補を割り当てるように構成されている。
【００６８】
例えば、図１３に示すように、リソース割当部１１は、ＳＰＳ  Ａ/Ｎ送信用リソースとして使用可能なＲＢ及びＣＳ/ＯＣの組み合わせからなる所定リソースの中から、移動局ＵＥのＳＰＳ  Ａ/Ｎ送信期間において、割当数の少ない所定数のリソースを選択し、移動局ＵＥに対して、かかるリソースを、ＳＰＳ  Ａ/Ｎ送信用リソース候補として割り当てるように構成されていてもよい。
【００６９】
ここで、各移動局ＵＥのＳＰＳ  Ａ/Ｎ送信期間は、各移動局ＵＥの「Ｏｎ  Ｄｕｒａｔｉｏｎ（間欠受信期間）」を、所定タイミング（例えば、４サブフレーム）だけ遅らせた期間である。
【００７０】
また、所定リソースの割当数は、当該移動局ＵＥのＳＰＳ  Ａ/Ｎ送信期間の各サブフレームにおいて、所定リソースがＳＰＳ  Ａ/Ｎ送信用リソース候補として割り当てられている他の移動局ＵＥの合計数を示す。
【００７１】
より具体的には、図１４に示すように、リソース割当部１１は、時間的に移動局ＵＥの「Ｏｎ  Ｄｕｒａｔｉｏｎ（間欠受信期間）」と少なくとも一部で重複する「Ｏｎ  Ｄｕｒａｔｉｏｎ（間欠受信期間）」を有する移動局ＵＥ１乃至ＵＥ４（第２移動局）に対してＳＰＳ  Ａ/Ｎ送信用リソース候補として割り当てられているリソースに基づいて、移動局ＵＥに対してＳＰＳ  Ａ/Ｎ送信用リソース候補を割り当てるように構成されている。
【００７２】
なお、図１４の例では、移動局ＵＥ１乃至ＵＥ４が、間欠受信モードで動作しており、ＳＰＳによってスケジューリングされた下りデータを受信するように構成されているものとする。
【００７３】
図１４の例では、移動局ＵＥ１に対して、ＳＰＳ  Ａ/Ｎ送信用リソース候補として、リソース０、１、２、３が割り当てられており、移動局ＵＥ２に対して、ＳＰＳ  Ａ/Ｎ送信用リソース候補として、リソース０、２、３、５が割り当てられており、移動局ＵＥ３に対して、ＳＰＳ  Ａ/Ｎ送信用リソース候補として、リソース２、３、４、５が割り当てられており、移動局ＵＥ４に対して、ＳＰＳ  Ａ/Ｎ送信用リソース候補として、リソース０、１、３、４が割り当てられている。
【００７４】
したがって、移動局ＵＥの「Ｏｎ  Ｄｕｒａｔｉｏｎ（間欠受信期間）」に対応するＳＰＳ  Ａ/Ｎ送信期間における各サブフレームにおける各リソースの割当数の合計値は、以下の通りとなる。
【００７５】
・  リソース０：  ２＋２＋３＋３＋２＋２＝１４
・  リソース１：  ２＋２＋２＋２＋１＋１＝１０
・  リソース２：  ２＋２＋３＋３＋１＋１＝１２
・  リソース３：  ３＋３＋４＋４＋２＋２＝１８
・  リソース４：  ２＋２＋２＋２＋１＋１＝１０
・  リソース５：  １＋１＋２＋２＋１＋１＝８
その結果、リソース割当部１１は、移動局ＵＥに対して、リソース１、２、４、５を、ＳＰＳ  Ａ/Ｎ送信用リソース候補として割り当てる。
【００７６】
また、図１５に示すように、所定数（例えば、４個）のリソースを１つのリソースグループとし、リソース割当部１１は、所定リソースグループの割当数の合計に基づいて、移動局ＵＥに対してＳＰＳ  Ａ/Ｎ送信用リソース候補を割り当てるように構成されていてもよい。
【００７７】
例えば、リソース割当部１１は、ＳＰＳ  Ａ/Ｎ送信用リソースとして使用可能なＲＢ及びＣＳ/ＯＣの組み合わせからなる所定リソースの中から、ＳＰＳ  Ａ/Ｎ送信期間において割当数の少ないリソースグループに属する所定数のリソースを選択し、移動局ＵＥに対して、かかるリソースを、ＳＰＳ  Ａ/Ｎ送信用リソース候補として割り当てるように構成されていてもよい。
【００７８】
ここで、所定リソースグループの割当数は、当該ＵＥのＳＰＳ  Ａ/Ｎ送信期間の各サブフレームにおいて、かかる所定リソースグループに属するリソースがＳＰＳ  Ａ/Ｎ送信用リソース候補として割り当てられている他の移動局ＵＥの合計数である。
【００７９】
より具体的には、図１６に示すように、リソース割当部１１は、時間的に移動局ＵＥの「Ｏｎ  Ｄｕｒａｔｉｏｎ（間欠受信期間）」と少なくとも一部で重複する「Ｏｎ  Ｄｕｒａｔｉｏｎ（間欠受信期間）」を有する移動局ＵＥ０乃至ＵＥ６（第２移動局）に対してＳＰＳ  Ａ/Ｎ送信用リソース候補として割り当てられているリソースが属するリソースグループのＳＰＳ  Ａ/Ｎ送信期間における割当数に基づいて、移動局ＵＥに対してＳＰＳ  Ａ/Ｎ送信用リソース候補を割り当てるように構成されている。
【００８０】
図１６の例では、移動局ＵＥ０に対して、ＳＰＳ  Ａ/Ｎ送信用リソース候補として、リソースグループ０に属するリソースが割り当てられており、移動局ＵＥ１に対して、ＳＰＳ  Ａ/Ｎ送信用リソース候補として、リソースグループ１に属するリソースが割り当てられており、移動局ＵＥ２に対して、ＳＰＳ  Ａ/Ｎ送信用リソース候補として、リソースグループ０に属するリソースが割り当てられており、移動局ＵＥ３に対して、ＳＰＳ  Ａ/Ｎ送信用リソース候補として、リソースグループ２に属するリソースが割り当てられており、移動局ＵＥ４に対して、ＳＰＳ  Ａ/Ｎ送信用リソース候補として、リソースグループ０に属するリソースが割り当てられており、移動局ＵＥ５に対して、ＳＰＳ  Ａ/Ｎ送信用リソース候補として、リソースグループ３に属するリソースが割り当てられており、移動局ＵＥ６に対して、ＳＰＳ  Ａ/Ｎ送信用リソース候補として、リソースグループ２に属するリソースが割り当てられている。
【００８１】
したがって、移動局ＵＥの「Ｏｎ  Ｄｕｒａｔｉｏｎ（間欠受信期間）」に対応するＳＰＳ  Ａ/Ｎ送信期間における各サブフレームにおける各リソースグループの割当数の合計値は、以下の通りとなる。
【００８２】
・  リソースグループ０：  ２＋２＋３＋３＋２＋１＝１３
・  リソースグループ１：  １＋１＋１＋１＋１＋１＝６
・  リソースグループ２：  １＋２＋２＋２＋２＋２＝１１
・  リソースグループ３：  １＋１＋１＋１＋０＋０＝４
その結果、リソース割当部１１は、移動局ＵＥに対して、リソースグループ４に属するリソースを、ＳＰＳ  Ａ/Ｎ送信用リソース候補として割り当てる。
【００８３】
このように、リソース割当部１１は、各移動局ＵＥのＳＰＳ  Ａ/Ｎ送信期間において、ＳＰＳ  Ａ/Ｎ送信用リソース候補として割り当てるリソース（ＲＢ及びＣＳ/ＯＣの組み合わせ）を特定するリソースインデックスを決定し、通知部１２は、各移動局ＵＥに対して、決定したリソースインデックスを通知するように構成されている。
【００８４】
その後、リソース割当部１１は、下りデータが、ＳＰＳによってスケジューリングされた場合に、ＳＰＳ  Ａ/Ｎ送信用リソース候補の中から、かかる下りデータに対するＳＰＳ  Ａ/Ｎを送信するためのリソースを選択するように構成されている。
【００８５】
すなわち、かかる場合、リソース割当部１１は、ＳＰＳ  Ａ/Ｎ送信用リソース候補の中から、かかる下りデータに対するＳＰＳ  Ａ/Ｎを送信するためのリソース（ＳＰＳ  Ａ/Ｎ送信用リソース）を特定するリソースインデックスを選択し、通知部１２は、各移動局ＵＥに対して、選択したリソースインデックスを通知するように構成されている。
【００８６】
具体的には、リソース割当部１１は、リソース割当部１１は、ＳＰＳ  Ａ/Ｎ送信用リソース候補の中から、同じＡ/Ｎ送信サブフレームにおいて、他の移動局ＵＥが使用しないリソースを選択して、各移動局ＵＥに対して、ＳＰＳ  Ａ/Ｎ送信用リソースとして割り当てるように構成されている。
【００８７】
各移動局ＵＥは、下りデータの受信タイミングから所定タイミング（例えば、４サブフレーム）後に、通知されたリソースインデックスによって特定されるＳＰＳ  Ａ/Ｎ送信用リソース（ＰＵＣＣＨ用リソース内）を用いて、受信した下りデータに対するＳＰＳ  Ａ/Ｎを送信するように構成されている。
【００８８】
ここで、リソース割当部１１は、ＳＰＳ用ベアラが解放された場合に、ＳＰＳ  Ａ/Ｎ送信用リソース候補及びＳＰＳ  Ａ/Ｎ送信用リソースを解放するように構成されていてもよい。
【００８９】
（本発明の第１の実施形態に係る移動通信システムの動作）
以下、図１７乃至図２０を参照して、本実施形態に係る移動通信システムの動作について、具体的には、本実施形態に係る無線基地局ｅＮＢによるＳＰＳ  Ａ/Ｎ送信用リソース候補の割り当て動作について説明する。
【００９０】
第１に、図１７及び図１８を参照して、かかる動作例１について説明する。
【００９１】
図１７に示すように、ステップＳ１０１において、無線基地局ｅＮＢは、「ｋ＝０」、「ｓ＝ｓｓｔａｒｔＯＤ」、「ｆＯＤ（ｉ）＝０（ｉ＝０，１，…，Ｎｒｅｓｏｕｒｃｅ-１）」とする。
【００９２】
ここで、「ｋ」は、リソースを特定するためのインデックスであり、「ｓ」は、サブフレームを特定するためのインデックスであり、「ｆＯＤ（ｉ）」は、割り当て対象の移動局ＵＥの「Ｏｎ  Ｄｕｒａｔｉｏｎ（間欠受信期間）」に対応するＳＰＳ  Ａ/Ｎ送信期間におけるリソースｉの割当数であり、「Ｎｒｅｓｏｕｒｃｅ」は、ＳＰＳ  Ａ/Ｎ送信用リソースとして割り当て可能なリソースの数である。
【００９３】
また、割り当て対象の移動局ＵＥの「Ｏｎ  Ｄｕｒａｔｉｏｎ（間欠受信期間）」に対応するＳＰＳ  Ａ/Ｎ送信期間内のサブフレームは、「ｓｓｔａｒｔＯＤ」から「ｓｅｎｄＯＤ」である。
【００９４】
ステップＳ１０２において、無線基地局ｅＮＢは、サブフレームｓにおけるリソースｋの割当数である「ｆｓ（ｋ）」を算出し、「ｆＯＤ（ｋ）」に「ｆｓ（ｋ）」を加える。以下、図１８を参照して、「ｆｓ（ｋ）」の算出方法について説明する。
【００９５】
図１８に示すように、ステップＳ２０１において、無線基地局ｅＮＢは、「ｕ＝０」、「ｆｓ（ｋ）＝０」とする。ここで、「ｕ」は、移動局ＵＥを特定するインデックスである。
【００９６】
ステップＳ２０２において、無線基地局ｅＮＢは、「ｓｓｔａｒｔｕ≦ｓ≦ｓｅｎｄｕ」が成立するか否かについて判定する。無線基地局ｅＮＢは、「ｓｓｔａｒｔｕ≦ｓ≦ｓｅｎｄｕ」が成立すると判定した場合、ステップＳ２０３に進み、「ｓｓｔａｒｔｕ≦ｓ≦ｓｅｎｄｕ」が成立しないと判定した場合、ステップＳ２０８に進む。
【００９７】
ここで、移動局ｕの「Ｏｎ  Ｄｕｒａｔｉｏｎ（間欠受信期間）」に対応するＳＰＳ  Ａ/Ｎ送信期間内のサブフレームは、「ｓｓｔａｒｔｕ」から「ｓｅｎｄｕ」である。
【００９８】
無線基地局ｅＮＢは、ステップＳ２０３において、「ｊ＝０」とし、ステップＳ２０４において、「ｋ＝Ｒｊｕ」が成立するか否かについて判定する。無線基地局ｅＮＢは、「ｋ＝Ｒｊｕ」が成立すると判定した場合、ステップＳ２０７に進み、「ｋ＝Ｒｊｕ」が成立しないと判定した場合、ステップＳ２０５に進む。
【００９９】
ここで、「Ｒｊｕ」は、移動局ｕに対してＳＰＳ  Ａ/Ｎ送信用リソース候補として割り当てられたリソースを識別する情報である。
【０１００】
無線基地局ｅＮＢは、ステップＳ２０５において、「ｊ」を「１」だけ増加させ、ステップＳ２０６において、「ｊ＝４」が成立するか否かについて判定する。無線基地局ｅＮＢは、「ｊ＝４」が成立すると判定した場合、ステップＳ２０８に進み、「ｊ＝４」が成立しないと判定した場合、ステップＳ２０４に戻る。
【０１０１】
一方、無線基地局ｅＮＢは、ステップＳ２０７において、「ｆｓ（ｋ）」を「１」だけ増加させ、ステップＳ２０８に進む。
【０１０２】
ステップＳ２０８において、無線基地局ｅＮＢは、「ｕ＝Ｎｕｅ-１」が成立するか否かについて判定する。無線基地局ｅＮＢは、「ｕ＝Ｎｕｅ-１」が成立すると判定した場合、本動作を終了し、図１７の動作に戻り、「ｕ＝Ｎｕｅ-１」が成立しないと判定した場合、ステップＳ２０９に戻り、「ｕ」を「１」だけ増加させる。
【０１０３】
ここで、「Ｎｕｅ」は、既に、ＳＰＳ  Ａ/Ｎ送信用リソース候補が割り当てられている移動局ＵＥの数である。
【０１０４】
ステップＳ１０３において、無線基地局ｅＮＢは、「ｓ＝ｓｅｎｄＯＤ」が成立するか否かについて判定する。無線基地局ｅＮＢは、「ｓ＝ｓｅｎｄＯＤ」が成立すると判定した場合、ステップＳ１０５に進み、「ｓ＝ｓｅｎｄＯＤ」が成立しないと判定した場合、ステップＳ１０４に進む。
【０１０５】
無線基地局ｅＮＢは、ステップＳ１０４において、「ｓ」を「１」だけ増加させ、ステップＳ１０２に戻る。
【０１０６】
ステップＳ１０５において、無線基地局ｅＮＢは、「ｋ＝Ｎｒｅｓｏｕｒｃｅ-１」が成立するか否かについて判定する。無線基地局ｅＮＢは、「ｋ＝Ｎｒｅｓｏｕｒｃｅ-１」が成立すると判定した場合、ステップＳ１０７に進み、「ｋ＝Ｎｒｅｓｏｕｒｃｅ-１」が成立しないと判定した場合、ステップＳ１０６に進む。
【０１０７】
無線基地局ｅＮＢは、ステップＳ１０６において、「ｋ」を「１」だけ増加させ、ステップＳ１０２に戻る。
【０１０８】
ステップＳ１０７において、無線基地局ｅＮＢは、「ｉ（＝０，１，…，Ｎｒｅｓｏｕｒｃｅ-１）の中から、小さい４つの「ｆＯＤ（ｉ）」に対応する「ｉ」を選択し、選択した「ｉ」に対応する「ｆｓ（ｋ）」によって特定されるリソースを、割り当て対象の移動局ＵＥに対するＳＰＳ  Ａ/Ｎ送信用リソース候補として割り当てる。
【０１０９】
第２に、図１９及び図２０を参照して、かかる動作例２について説明する。
【０１１０】
図１９に示すように、ステップＳ３０１において、無線基地局ｅＮＢは、「ｋ＝０」、「ｓ＝ｓｓｔａｒｔＯＤ」、「ｇＯＤ（ｉ）＝０（ｉ＝０，１，…，Ｎｇｒｏｕｐ-１）」とする。
【０１１１】
ここで、「ｇＯＤ（ｉ）」は、割り当て対象の移動局ＵＥの「Ｏｎ  Ｄｕｒａｔｉｏｎ（間欠受信期間）」に対応するＳＰＳ  Ａ/Ｎ送信期間におけるリソースグループｉの割当数であり、「Ｎｇｒｏｕｐ」は、ＳＰＳ  Ａ/Ｎ送信用リソースとして割り当て可能なリソースが属するリソースグループの数である。
【０１１２】
ステップＳ２０２において、無線基地局ｅＮＢは、サブフレームｓにおけるリソースグループｋの割当数である「ｇｓ（ｋ）」を算出し、「ｇＯＤ（ｋ）」に「ｇｓ（ｋ）」を加える。以下、図２０を参照して、「ｇｓ（ｋ）」の算出方法について説明する。
【０１１３】
図２０に示すように、ステップＳ４０１において、無線基地局ｅＮＢは、「ｕ＝０」、「ｇｓ（ｋ）＝０」とする。
【０１１４】
ステップＳ４０２において、無線基地局ｅＮＢは、「ｓｓｔａｒｔｕ≦ｓ≦ｓｅｎｄｕ」が成立するか否かについて判定する。無線基地局ｅＮＢは、「ｓｓｔａｒｔｕ≦ｓ≦ｓｅｎｄｕ」が成立すると判定した場合、ステップＳ４０３に進み、「ｓｓｔａｒｔｕ≦ｓ≦ｓｅｎｄｕ」が成立しないと判定した場合、ステップＳ４０５に進む。
【０１１５】
無線基地局ｅＮＢは、ステップＳ４０３において、「ｋ＝Ｇｕ」が成立するか否かについて判定する。無線基地局ｅＮＢは、「ｋ＝Ｇｕ」が成立すると判定した場合、ステップＳ４０４に進み、「ｋ＝Ｇｕ」が成立しないと判定した場合、ステップＳ４０５に進む。
【０１１６】
ここで、「Ｇｕ」は、移動局ｕに対してＳＰＳ  Ａ/Ｎ送信用リソース候補として割り当てられたリソースグループを識別する情報である。
【０１１７】
無線基地局ｅＮＢは、ステップＳ４０４において、「ｇｓ（ｋ）」を「１」だけ増加させ、ステップＳ４０５に進む。
【０１１８】
ステップＳ４０５において、無線基地局ｅＮＢは、「ｕ＝Ｎｕｅ-１」が成立するか否かについて判定する。無線基地局ｅＮＢは、「ｕ＝Ｎｕｅ-１」が成立すると判定した場合、本動作を終了し、図１９の動作に戻り、「ｕ＝Ｎｕｅ-１」が成立しないと判定した場合、ステップＳ４０４において、「ｕ」を「１」だけ増加させる。
【０１１９】
ステップＳ３０３において、無線基地局ｅＮＢは、「ｓ＝ｓｅｎｄＯＤ」が成立するか否かについて判定する。無線基地局ｅＮＢは、「ｓ＝ｓｅｎｄＯＤ」が成立すると判定した場合、ステップＳ３０５に進み、「ｓ＝ｓｅｎｄＯＤ」が成立しないと判定した場合、ステップＳ３０４に進む。
【０１２０】
無線基地局ｅＮＢは、ステップＳ３０４において、「ｓ」を「１」だけ増加させ、ステップＳ３０２に戻る。
【０１２１】
ステップＳ３０５において、無線基地局ｅＮＢは、「ｋ＝Ｎｇｒｏｕｐ-１」が成立するか否かについて判定する。無線基地局ｅＮＢは、「ｋ＝Ｎｇｒｏｕｐ-１」が成立すると判定した場合、ステップＳ３０７に進み、「ｋ＝Ｎｇｒｏｕｐ-１」が成立しないと判定した場合、ステップＳ３０６に進む。
【０１２２】
無線基地局ｅＮＢは、ステップＳ３０６において、「ｋ」を「１」だけ増加させ、ステップＳ３０２に戻る。
【０１２３】
ステップＳ３０７において、無線基地局ｅＮＢは、「ｉ（＝０，１，…，Ｎｇｒｏｕｐ-１）の中から、小さい４つの「ｇＯＤ（ｉ）」に対応する「ｉ」を選択し、選択した「ｉ」に対応する「ｇｓ（ｋ）」に属するリソースを、割り当て対象の移動局ＵＥに対するＳＰＳ  Ａ/Ｎ送信用リソース候補として割り当てる。
【０１２４】
（本発明の第１の実施形態に係る移動通信システムの作用・効果）
本発明の第１の実施形態に係る移動通信システムによれば、無線基地局ｅＮＢにおいて、各移動局ＵＥに対して、ＳＰＳ用ベアラが設定された際に、ＳＰＳ  Ａ/Ｎ送信用リソース候補を割り当て、ＳＰＳ送信用ベアラにおいて下りデータがＳＰＳによってスケジューリングされた際に、ＳＰＳ  Ａ/Ｎ送信用リソース候補の中からＳＰＳ  Ａ/Ｎ送信用リソースを割り当てるように構成されているため、複数の移動局ＵＥの間で送信されるＳＰＳ  Ａ/Ｎが衝突するという事態を回避することができる。
【０１２５】
以上に述べた本実施形態の特徴は、以下のように表現されていてもよい。
【０１２６】
本実施形態の第１の特徴は、無線基地局ｅＮＢであって、ＳＰＳ用ベアラの設定時に、移動局ＵＥ（第１移動局）に対して、ＳＰＳ  Ａ/Ｎ送信用リソース候補を割り当てるように構成されているリソース割当部１１を具備し、ＳＰＳ  Ａ/Ｎ送信用リソース候補は、移動局ＵＥが、ＳＰＳによってスケジューリングされＰＤＳＣＨを介して送信された下りデータに対して、下りデータの受信タイミングから所定タイミング（例えば、４サブフレーム）後にＳＰＳ  Ａ/Ｎを送信するための周波数方向リソースとコード方向リソースとの組み合わせからなるリソースの候補であり、リソース割当部１１は、移動局ＵＥのＳＰＳ  Ａ/Ｎ送信期間における周波数方向リソースとコード方向リソースとの組み合わせからなる所定リソースの割当数に基づいて、移動局ＵＥに対してＳＰＳ  Ａ/Ｎ送信用リソース候補を割り当てるように構成されており、下りデータが、ＳＰＳによってスケジューリングされた場合に、リソース割当部１１は、ＳＰＳ  Ａ/Ｎ送信用リソース候補の中から、下りデータに対するＳＰＳ  Ａ/Ｎを送信するためのリソースを選択するように構成されていることを要旨とする。
【０１２７】
本実施形態の第１の特徴において、移動局ＵＥのＳＰＳ  Ａ/Ｎ送信期間は、移動局ＵＥの「Ｏｎ  Ｄｕｒａｔｉｏｎ（間欠受信期間）」を所定タイミング（例えば、４サブフレーム）だけ遅らせた期間であってもよい。
【０１２８】
本実施形態の第１の特徴において、所定リソースの割当数は、移動局ＵＥのＳＰＳ  Ａ/Ｎ送信期間の各サブフレームにおいて、所定リソースがＳＰＳ  Ａ/Ｎ送信期間送信用リソース候補として割り当てられている他の移動局の合計数であってもよい。
【０１２９】
本実施形態の第１の特徴において、リソース割当部１１は、時間的に移動局ＵＥの間欠受信期間と少なくとも一部で重複する間欠受信期間を有する移動局ＵＥ１乃至ＵＥ４（第２移動局）に対してＳＰＳ  Ａ/Ｎ送信用リソース候補として割り当てられているリソースに基づいて、移動局ＵＥに対してＳＰＳ  Ａ/Ｎ送信用リソース候補を割り当てるように構成されていてもよい。
【０１３０】
本実施形態の第１の特徴において、所定リソースの割当数は、移動局ＵＥのＳＰＳ  Ａ/Ｎ送信期間における所定リソースグループに属しているリソースの割当数であり、リソース割当部１１は、リソースグループ単位で、ＳＰＳ  Ａ/Ｎ送信用リソース候補を割り当てるように構成されていてもよい。
【０１３１】
本実施形態の第１の特徴において、所定リソースグループは、時間的に移動局ＵＥの間欠受信期間と少なくとも一部で重複する間欠受信期間を有する移動局ＵＥ０乃至ＵＥ６に対してＳＰＳ  Ａ/Ｎ送信用リソース候補として割り当てられているリソースが属するリソースグループであってもよい。
【０１３２】
本実施形態の第２の特徴は、移動通信方法であって、ＳＰＳ用ベアラの設定時に、移動局ＵＥに対して、ＳＰＳ  Ａ/Ｎ送信用リソース候補を割り当てる工程Ａを有し、ＳＰＳ  Ａ/Ｎ送信用リソース候補は、移動局ＵＥが、ＳＰＳによってスケジューリングされＰＤＳＣＨを介して送信された下りデータに対して、下りデータの受信タイミングから所定タイミング後にＳＰＳ  Ａ/Ｎを送信するための周波数方向リソースとコード方向リソースとの組み合わせからなるリソースの候補であり、工程Ａにおいて、移動局ＵＥのＳＰＳ  Ａ/Ｎ送信期間における周波数方向リソースとコード方向リソースとの組み合わせからなる所定リソースの割当数に基づいて、移動局ＵＥに対してＳＰＳ  Ａ/Ｎ送信用リソース候補を割り当て、下りデータが、ＳＰＳによってスケジューリングされた場合に、ＳＰＳ  Ａ/Ｎ送信用リソース候補の中から、下りデータに対するＳＰＳ  Ａ/Ｎを送信するためのリソースを選択する工程Ｂを更に有することを要旨とする。
【０１３３】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１３４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１３６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１３７】
ＵＥ…移動局
ｅＮＢ…無線基地局
１１…リソース割当部
１２…通知部
【図１】
2010232742.tif 000003
【図２】
2010232742.tif 000004
【図３】
2010232742.tif 000005
【図４】
2010232742.tif 000006
【図５】
2010232742.tif 000007
【図６】
2010232742.tif 000008
【図７】
2010232742.tif 000009
【図８】
2010232742.tif 000010
【図９】
2010232742.tif 000011
【図１０】
2010232742.tif 000012
【図１１】
2010232742.tif 000013
【図１２】
2010232742.tif 000014
【図１３】
2010232742.tif 000015
【図１４】
2010232742.tif 000016
【図１５】
2010232742.tif 000017
【図１６】
2010232742.tif 000018
【図１７】
2010232742.tif 000019
【図１８】
2010232742.tif 000020
【図１９】
2010232742.tif 000021
【図２０】
2010232742.tif 000022